(57)【要約】      （修正有）【課題】既設構造物の地下埋設部分や杭をその地上部分とともに巨大地震から守る。【解決手段】本発明に係る構造物の耐震補強方法においては、既設の構造物１の周囲に溝１１を掘削し、その内部に地中連続壁２を構築する。地中連続壁２の構築にあたっては、従来通り、安定液で孔壁を保護しつつ所定の掘削機で溝を掘削し、しかる後に該溝内に鉄筋籠を吊り込んでコンクリートを打設するようにすればよい。ここで、地中連続壁２のコンクリート天端については、上述したように基礎版８の下面高さから上面高さまでの範囲内に設定する。次に、地中連続壁２の強度が発現した後、該地中連続壁の上方を埋め戻し土に置換し、地盤変形非抑制領域とする。【選択図】  図２
2006342666.tif 000002
【特許請求の範囲】
【請求項１】
杭で支持されかつ基礎版が地表面より低い位置に設定された既設構造物の周辺地盤のうち、地下部分には地盤変形を抑制する地盤変形抑制領域を構築するとともに、該地盤変形抑制領域から上方に延びる地表面近傍部分には地盤変形を抑制しない地盤変形非抑制領域を設けることを特徴とする構造物の耐震補強方法。
【請求項２】
前記地盤変形抑制領域を、地盤を掘削しつつセメントと混合攪拌して該地盤を固化させ又は地中連続壁を構築して形成し、前記地盤変形非抑制領域を埋め戻し土で構成する請求項１記載の構造物の耐震補強方法。
【請求項３】
前記地盤変形抑制領域を、地盤を掘削しつつセメントと混合攪拌して該地盤を固化させ又は地中連続壁を構築して形成し、前記地盤変形非抑制領域を地表面近傍にて前記構造物の周囲に緩衝材を充填配置して構成する請求項１記載の構造物の耐震補強方法。
【請求項４】
前記地盤変形抑制領域を、地盤を掘削しつつセメントと混合攪拌して該地盤を固化させ又は地中連続壁を構築して形成し、前記地盤変形非抑制領域を地表面近傍にて前記構造物の側壁から離間させた状態で砂利、砕石等で構成されたドレーン帯を設けて構成する請求項１記載の構造物の耐震補強方法。
【請求項５】
前記地盤変形抑制領域を、地盤を掘削しつつセメントと混合攪拌して該地盤を固化させ又は地中連続壁を構築して形成し、前記地盤変形非抑制領域を地表面近傍にて前記構造物の側壁の周囲に貯水領域を設けて構成する請求項１記載の構造物の耐震補強方法。
【請求項６】
前記地盤変形抑制領域を、地盤を掘削しつつセメントと混合攪拌して該地盤を固化させ又は地中連続壁を構築して形成し、前記地盤変形非抑制領域を地表面近傍にて前記構造物の周囲に中空空間を設けて構成する請求項１記載の構造物の耐震補強方法。
【請求項７】
前記地盤変形抑制領域の上端を前記基礎版の下面高さから上面高さまでの範囲内に設定する請求項１乃至請求項６のいずれか一記載の構造物の耐震補強方法。
【発明の詳細な説明】
【技術分野】
【０００１】
本発明は、主として杭や地下埋設部分を有する構造物の耐震補強方法に関する。
【背景技術】
【０００２】
構造物の基礎形式は、直接基礎、杭基礎、ケーソン基礎等に大別されるが、これらのうち、直接基礎は、フーチング基礎やべた基礎のように構造物の荷重がスラブ底面から地盤に直接伝えられるものであって、表層近傍の地盤強度が構造物の重量に比して相対的に大きい場合に採用される基礎形式である。かかる直接基礎は、通常、表層部分を掘削して良質な地盤を露出させた上で該地盤上に構造物が構築されるので、一定の地下埋設部分を有することが多い。
【０００３】
一方、杭基礎は、表層近傍の地盤強度が相対的に小さいため、良質な支持層まで杭を打ち込むことによって構造物の重量を支持する基礎形式である。
【０００４】
【特許文献１】特開平９−２５６３９１号公報
【発明の開示】
【発明が解決しようとする課題】
【０００５】
ここで、設計施工時においては、予想される地盤変形に対して杭や地下埋設部分が十分耐えられるように杭や地下埋設部分の構築を行うが、予想に反する巨大地震に見舞われた場合、地震時における地盤変形が過度に大きくなって、構造物の地下埋設部分や杭が不測の損傷を受けるおそれがある。
【０００６】
そのため、このような巨大地震が想定されるケースでは、地盤改良、地中連続壁の構築、鋼矢板の打込みといった方法で既設構造物の周囲に拡がる地盤の剛性を高め、該地盤の変形を抑制することが考えられる。
【０００７】
しかしながら、かかる方法では、構造物の地下埋設部分や杭に生じる断面力を小さくすることはできても、構造物の地上部分については、地盤剛性と地震波周波数特性との関係あるいは構造物と地盤との相互作用関係いかんにより、構造物への地震入力がかえって大きくなって構造物の応答加速度が大きくなったり、構造物に発生する部材力の分布状況が変化して例えば地表面近傍で応力が集中するといった事態が生じるおそれがあり、さらには地上部分の損傷が地下部分へ及ぶことも考えられるという問題を生じていた。
【課題を解決するための手段】
【０００８】
本発明は、上述した事情を考慮してなされたもので、既設構造物の地下埋設部分や杭をその地上部分とともに巨大地震から守ることが可能な構造物の耐震補強方法を提供することを目的とする。
【０００９】
上記目的を達成するため、本発明に係る構造物の耐震補強方法は請求項１に記載したように、杭で支持されかつ基礎版が地表面より低い位置に設定された既設構造物の周辺地盤のうち、地下部分には地盤変形を抑制する地盤変形抑制領域を構築するとともに、該地盤変形抑制領域から上方に延びる地表面近傍部分には地盤変形を抑制しない地盤変形非抑制領域を設けるものである。
【００１０】
また、本発明に係る構造物の耐震補強方法は、前記地盤変形抑制領域を、地盤を掘削しつつセメントと混合攪拌して該地盤を固化させ又は地中連続壁を構築して形成し、前記地盤変形非抑制領域を埋め戻し土で構成するものである。
【００１１】
また、本発明に係る構造物の耐震補強方法は、前記地盤変形抑制領域を、地盤を掘削しつつセメントと混合攪拌して該地盤を固化させ又は地中連続壁を構築して形成し、前記地盤変形非抑制領域を地表面近傍にて前記構造物の周囲に緩衝材を充填配置して構成するものである。
【００１２】
また、本発明に係る構造物の耐震補強方法は、前記地盤変形抑制領域を、地盤を掘削しつつセメントと混合攪拌して該地盤を固化させ又は地中連続壁を構築して形成し、前記地盤変形非抑制領域を地表面近傍にて前記構造物の側壁から離間させた状態で砂利、砕石等で構成されたドレーン帯を設けて構成するものである。
【００１３】
また、本発明に係る構造物の耐震補強方法は、前記地盤変形抑制領域を、地盤を掘削しつつセメントと混合攪拌して該地盤を固化させ又は地中連続壁を構築して形成し、前記地盤変形非抑制領域を地表面近傍にて前記構造物の側壁の周囲に貯水領域を設けて構成するものである。
【００１４】
また、本発明に係る構造物の耐震補強方法は、前記地盤変形抑制領域を、地盤を掘削しつつセメントと混合攪拌して該地盤を固化させ又は地中連続壁を構築して形成し、前記地盤変形非抑制領域を地表面近傍にて前記構造物の周囲に中空空間を設けて構成するものである。
【００１５】
また、本発明に係る構造物の耐震補強方法は、前記地盤変形抑制領域の上端を前記基礎版の下面高さから上面高さまでの範囲内に設定するものである。
【００１６】
本発明に係る構造物の耐震補強方法においては、構造物の周囲のうち、地下部分に地盤変形抑制領域を構築するので、巨大地震の際にも地盤変形が抑制され、したがって、構造物の杭や基礎版近傍に過大な強制変形が作用することはない。また、該領域から上方に延びる地表面近傍部分に地盤変形を抑制しない地盤変形非抑制領域を設けるので、側方からの地震入力が低減され、構造物に過大な部材力が発生することはない。
【００１７】
地盤変形抑制領域を構築するにあたっては、地盤を掘削しつつセメントと混合攪拌して該地盤を固化させる、地中連続壁を構築するなどの方法が考えられる。
【００１８】
地盤変形非抑制領域は、地表面近傍の地盤剛性が地下部分ほど高くなく地震時にある程度の変形が許容されるのであればどのような構造や形態でもよい。
【００１９】
地下部分に構築される地盤変形抑制領域とその上方に延びる形で地表面近傍部分に設けられる地盤変形非抑制領域との境界高さについては、想定される地震規模、地盤条件、地盤変形抑制領域の構築によって期待される地盤剛性の増大の程度、構造物の断面寸法等を考慮しながら適宜設定すればよいが、かかる地盤変形抑制領域の上端を基礎版の下面高さから上面高さまでの範囲内に設定したならば、基礎版の下面にて構造物の荷重を支持する杭に対しては地盤変形抑制領域の作用によって過大な強制変形が作用するのを確実に防止することができるとともに、基礎版の上面から延びる構造物の側壁等に対しては地盤変形非抑制領域の作用によって側方からの地震入力を確実に低減することが可能となる。
【００２０】
地盤変形非抑制領域は、上述したようにその構造や形態は任意であり、例えば地表面近傍の構造物の周囲をドライエリアのように中空の空間とすることが考えられるが、かかる地盤変形非抑制領域に緩衝材を配置したならば、地震時における構造物の振動がかかる緩衝材によって減衰作用を受け、該振動は速やかに収斂する。緩衝材としては、材料自体に変形吸収能があるゴム、発泡体、軟弱粘土等はもちろんのこと、集合体として変形吸収能を発揮することが期待されるもの、例えば埋め戻し土、飽和した緩い砂、軽量土、砂利、砕石なども含まれる。
【００２１】
また、地盤変形非抑制領域の別の有効利用方法として該領域に構造物の側壁から離間させた状態でドレーン帯を設けたならば、地下水対策が緩和され、例えば構造物の側壁を二重壁とする必要がなくなるといったことも期待できる。
【００２２】
また、さらに別の有効利用方法として地盤変形非抑制領域に貯水領域を設けたならば、防火用貯水池や遊水池として活用することが可能となる。
【発明を実施するための最良の形態】
【００２３】
以下、本発明に係る構造物の耐震補強方法の実施の形態について、添付図面を参照して説明する。なお、従来技術と実質的に同一の部品等については同一の符号を付してその説明を省略する。
【００２４】
図１は、本実施形態に係る構造物の耐震補強構造を示した断面図である。同図でわかるように、本実施形態に係る構造物の耐震補強構造は、杭５で支持されかつ基礎版８が地表面より低い位置に設定された構造物１の周辺地盤のうち、地下部分には地盤変形を抑制する地盤変形抑制領域としての地中連続壁２を構築するとともに、該地中連続壁から上方に延びる地表面近傍部分には地盤変形を抑制しない地盤変形非抑制領域３を設けてなる。
【００２５】
ここで、地盤変形非抑制領域３は、埋め戻し土４で構成してある。また、地中連続壁２の上端を基礎版８の下面高さから上面高さまでの範囲内に設定してある。
【００２６】
本実施形態に係る構造物の耐震補強方法においては、図２に示すように、既設の構造物１の周囲に溝１１を掘削し、その内部に地中連続壁２を構築する。地中連続壁２の構築にあたっては、従来通り、安定液で孔壁を保護しつつ所定の掘削機で溝を掘削し、しかる後に該溝内に鉄筋籠を吊り込んでコンクリートを打設するようにすればよい。
【００２７】
ここで、地中連続壁２のコンクリート天端については、上述したように基礎版８の下面高さから上面高さまでの範囲内に設定する。
【００２８】
次に、地中連続壁２の強度が発現した後、該地中連続壁の上方を埋め戻し土４に置換し、地盤変形非抑制領域３とする。
【００２９】
本実施形態に係る構造物の耐震補強構造においては、構造物１の周囲のうち、地下部分には地中連続壁２を構築してあるので、巨大地震の際にも地盤変形が抑制され、したがって、構造物１の杭５や基礎版８近傍に過大な強制変形が作用することはない。また、該領域から上方に延びる地表面近傍部分には地盤変形を抑制しない地盤変形非抑制領域３を設けてあるので、側方からの地震入力が低減され、構造物１に過大な部材力が発生することはない。
【００３０】
以上説明したように、本実施形態に係る構造物の耐震補強方法によれば、地中連続壁２によって地下部分の地盤剛性を高めるようにしたので、地震時における杭５や基礎版８に作用する強制変形を抑えることが可能となるとともに、地盤変形非抑制領域３によって地表面近傍の地盤の変形を抑制しないようにしたので、地震時における側方からの地震入力を低減することが可能となる。
【００３１】
したがって、杭５や基礎版８に生じる断面力が低減し、これらの部材は、破損することなく健全性が維持されるとともに、構造物１にも過大な部材力が発生するおそれがなくなり、かくして構造物全体の耐震性を向上させることが可能となる。
【００３２】
ここで、本実施形態の作用効果を確認すべく、動的応答解析を行ったので、その結果を図３に示す。
【００３３】
同図に示すグラフは、地中連続壁を構築しない場合（未改良、左端）、地中連続壁を地表面まで構築した場合（中央）、及び本実施形態のように地中連続壁を地下部分に限定した場合（右端）で構造物１に生ずるせん断力がどのように変化するかを示したものである。
【００３４】
同図から、地中連続壁２を地表面まで構築すると、構造物１に生ずるせん断力が増加して耐震性に余裕がなくなるが、本実施形態のように地中連続壁２の構築範囲を地下部分に限定し、その上に地盤変形非抑制領域３を設けるようにすれば、構造物１に生ずるせん断力が大幅に減少し、地中連続壁を構築しない場合よりもさらに低減されることがわかる。
【００３５】
また、本実施形態によれば、地中連続壁２の上端を基礎版８の下面高さから上面高さまでの範囲内に設定したので、基礎版８の下面にて構造物１の荷重を支持する杭５に対しては地中連続壁２の作用によって過大な強制変形が作用するのを確実に防止することができるとともに、基礎版８の上面から延びる構造物１の側壁６に対しては地盤変形非抑制領域３の作用によって側方からの地震入力を確実に低減することが可能となる。
【００３６】
本実施形態では、地盤変形非抑制領域３を埋め戻し土４で形成するようにしたが、これに代えて図４に示すように、ドライエリアのような中空空間を地表面近傍にて構造物１の周囲に設け、これを地盤変形非抑制領域２１としてもよい。かかる構成によれば、該領域を設備機器を設置する空間や作業用の空間として有効利用することが可能となる。
【００３７】
また、図５に示すように、地表面近傍にて構造物１の周囲に緩衝材３２を充填配置し、これを地盤変形非抑制領域３１としてもよい。緩衝材３２としては、材料自体が変形吸収能に富んだ発泡スチロール等を使用するのが望ましい。かかる構成によれば、地震による構造物１の振動が緩衝材３２によって減衰作用を受け、該振動が速やかに収斂するという作用効果が得られる。
【００３８】
また、図６に示すように、地表面近傍にて構造物１の側壁６から離間させた状態で砂利、砕石等で構成されたドレーン帯４１を設け、これを地盤変形抑制領域とすれば、構造物１の地下水対策が緩和され、側壁６を二重壁とする必要がなくなるといったことも期待できる。
【００３９】
また、図７に示すように、地表面近傍にて構造物１の側壁６の周囲に貯水領域５１を設け、これを地盤変形非抑制領域とすれば、該貯水領域を防火用貯水池や遊水池として活用することが可能となる。
【００４０】
また、本実施形態では、本発明の構造物を、杭５を有しなおかつ基礎版８が地表面より低い位置に設定された構造物として取り扱ったが、かかる構成に限定されるものではなく、例えば杭５を有するが基礎版８はほぼ地表面と同じレベルに設定してある場合にも、地中連続壁２の構築範囲を地中部分に限定することにより、杭５のうち、杭頭を除く部分の強制変形を回避してその損傷を回避するとともに、杭頭近傍における側方からの地震入力を低減して杭頭及び上部構造物の断面力を抑えることが可能になる。逆に、基礎版８が地表面より低い位置に設定されているが杭基礎ではなく直接基礎である場合にも、地中連続壁２の構築範囲を地中部分に限定することにより、基礎版８に作用する強制変形を回避してその損傷を回避するとともに、基礎版よりも上方における側方からの地震入力を低減して上部構造物の断面力を抑えることが可能となる。
【図面の簡単な説明】
【００４１】
【図１】本実施形態に係る構造物の耐震補強構造の図であり、(a)は断面図、(b)はＡ―Ａ線に沿う水平断面図。
【図２】本実施形態に係る構造物の耐震補強方法を示した断面図。
【図３】本実施形態に係る構造物の耐震補強方法の作用効果を確認するための動的応答解析の結果を示したグラフ。
【図４】変形例に係る構造物の耐震補強方法を示した断面図。
【図５】変形例に係る構造物の耐震補強方法を示した断面図。
【図６】変形例に係る構造物の耐震補強方法を示した断面図。
【図７】変形例に係る構造物の耐震補強方法を示した断面図。
【符号の説明】
【００４２】
１                          構造物
２                          地中連続壁（地盤変形抑制領域）
３                          地盤変形非抑制領域
４                          埋め戻し土
５                          杭
６                          側壁
８                          基礎版
２１                        地盤変形非抑制領域
３１                        地盤変形非抑制領域
３２                        緩衝材
４１                        ドレーン帯（地盤変形非抑制領域）
５１                        貯水領域（地盤変形非抑制領域）
【図１】
2006342666.tif 000003
【図２】
2006342666.tif 000004
【図３】
2006342666.tif 000005
【図４】
2006342666.tif 000006
【図５】
2006342666.tif 000007
【図６】
2006342666.tif 000008
【図７】
2006342666.tif 000009